(57)【要約】【課題】  全平面フレキシブル基板コネクタの提供。【解決手段】  フレキシブル基板コネクタの上壁が、後ろ向きに開放でき前向きに閉合できる可動上蓋で構成され、フレキシブル基板の挿入の方式が、可動上蓋を後ろ向きに起こして端子前部の上ピンと下ピンを開放空間中に露出させるために、前方からフレキシブル基板挿入作業を行なえて非常に便利であり、また正確な位置に挿入して端子と確実に電気的接続を形成でき、さらに可動上蓋を前向きに閉じ合わせた後に、フレキシブル基板をしっかりと全平面フレキシブル基板コネクタ内部に固定でき、脱落現象を発生せず、可動上蓋の開閉操作が楽であり、且つ該可動上蓋の板面が電磁波干渉防止の金属遮蔽板で被覆され、全平面フレキシブル基板コネクタの使用機能が向上されている。【選択図】        図４
2004349239.tif 000002
【特許請求の範囲】
【請求項１】
全平面フレキシブル基板コネクタにおいて、凹形本体（５０）、開閉自在な可動上蓋（６０）、該凹形本体（５０）に挿入される複数の挿入端子（７０）、及び該凹形本体（５０）の左右両側に結合される一対の固定板（８０）で組成され、
該凹形本体（５０）は開放空間を形成する開口溝（５１）を具え、該開口溝（５１）の溝面の左右両側にそれぞれ上向きに突出するサイドリブ（５２）が設けられ、該溝面上に複数の溝（５３）が形成され、各溝（５３）の内部に挿入端子（７０）と係合する嵌置リブ（５４）が形成され、並びに該凹形本体（５０）の左右両側の側壁上面に挿入溝（５５）が開設され、
該挿入端子（７０）は上ピン（７１）と下ピン（７２）、板片（７８）、及び嵌合ピン（７３）で構成され、該嵌合ピン（７３）は下ピン（７２）の後部末端に連設され、嵌合ピン（７３）と下ピン（７２）が共同で係止溝（７７）を形成し、該上ピン（７１）と該下ピン（７２）の間が該板片（７８）で連結され、該上ピン（７１）の前部と該下ピン（７２）の前部が共同で挿嵌溝（７５）を形成し、挿入端子（７０）がその係止溝（７７）により凹形本体（５０）の嵌置リブ（５４）と係合して該凹形本体（５０）の溝（５３）内に嵌合係止され、並びに挿入端子（７０）の挿嵌溝（７５）の位置が該凹形本体（５０）のサイドリブ（５２）の側面開放空間内にあって露出し、
該可動上蓋（６０）は板体（６１）を具え、閉合後に該板体（６１）が該凹形本体（５０）のサイドリブ（５２）の上面に当接し、該板体（６１）の後端部の左右両側に突出する枢軸（６３）が設けられ、並びに該板体（６１）の板面上に、該凹形本体（５０）の溝（５３）内に挿入された挿入端子（７０）に対応する複数の端子溝（６４）が開設され、  該一対の固定板（８０）はその板面（８１）の側辺に上向きに突出するピン（８２）を具え、該側辺の端部に、別にハブ（８３）が凸設され、該一対の固定板（８０）のそれぞれのピン（８２）が該凹形本体（５０）の左右側壁の挿入溝（５５）内に結合されて、該可動上蓋（６０）の枢軸（６３）が該一対の固定板（８０）のハブ（８３）に枢支され、これにより該可動上蓋（６０）の開閉の支点が形成されていることを特徴とする、全平面フレキシブル基板コネクタ。
【請求項２】
請求項１記載の全平面フレキシブル基板コネクタにおいて、可動上蓋（６０）の板体（６１）上面が電磁波干渉防止の金属遮蔽板（９０）で被覆されたことを特徴とする、全平面フレキシブル基板コネクタ。
【請求項３】
請求項１記載の全平面フレキシブル基板コネクタにおいて、可動上蓋（６０）の後面端部が下向きに傾斜し、該可動上蓋（６０）の各端子溝（６４）の溝口末端に凸軸（６５）が形成されていることを特徴とする、全平面フレキシブル基板コネクタ。
【発明の詳細な説明】
【技術分野】
【０００１】
本発明は一種の開放空間を具えた全平面フレキシブル基板コネクタに係り、特に開閉可能な可動上蓋を具え、フレキシブル基板を開放された空間にあって露出させられた挿入端子と挿嵌接続させる作業が行なえ、並びに電磁波干渉防止機能を具えた全平面フレキシブル基板コネクタに関する。
【背景技術】
【０００２】
周知のフレキシブル基板コネクタ（１０）の構造と使用状態は図１及び図２に示されるようであり、矩形絶縁本体（２０）、長矩形閉合蓋（３０）及び複数の挿入端子（２５）で構成されている。そのうち、該絶縁本地（２０）はクローズ型のフレーム構造とされ、上壁（２１）、下壁（２２）及び上壁（２１）と下壁（２２）の左右両側を連結する側壁が共同で囲んでなり、フレームの前面開口が挿嵌溝（２３）を形成し、フレキシブル基板（１５）を絶縁本体（２０）の内部に挿入するのに供され、フレームの後半部に等距離に間隔配列方式で平行配列された複数の溝（２４）が設けられ、ゆえに複数の挿入端子（２５）が対応する溝（２４）内に嵌め置かれ、フレキシブル基板（１５）が絶縁本体（２０）内部に挿入された後に、挿入端子（２５）の上ピン（２６）前部と下ピン（２７）前部が電気的接続を形成する。閉合蓋（３０）の蓋体端部のリップに断面が楕円状のリブ軸（３１）が形成され、該閉合蓋（３０）がそのリブ軸（３１）を利用して挿入端子（２５）が露出する絶縁本体（２０）の外面の上ピン（２６）及び下ピン（２７）の中間に放置され、並びに各挿入端子（２５）と図１及び図２に示される枢設構造を形成する。言い換えると、該閉合蓋（３０）の位置は、絶縁本体（２０）の後面とされ、絶縁本体（２０）のフレーム機構とは相互に独立しており、組合せ関係はなく、このため、図１に示されるように、閉合蓋（３０）を上に起こす時、各挿入端子（２５）の上ピン（２６）後部がいずれも閉合蓋（３０）のリブ軸（３１）の係止を受けられなくなり、自由状態となる。しかし、フレキシブル基板（１５）が絶縁本体（２０）内部に挿入され、各挿入端子（２５）と電気的に接続された後、閉合蓋（３０）が絶縁本体（２０）の後面方向に向けて閉じ合わされると、各挿入端子（２５）の上ピン（２６）の後部が閉合蓋（３０）の凸軸（３１）の係止を受けるため、各挿入端子（２５）の上ピン（２６）の前部がてこの原理により下向きにフレキシブル基板（１５）を圧迫する力を発生し、フレキシブル基板（１５）がしっかりと絶縁本体（２０）の内部に固定されて脱落を発生しないものとされ、これは図２に示されるとおりである。
【０００３】
しかしこのような絶縁本体（２０）の構造は、上壁（２１）及び下壁（２２）がクローズ型フレーム構造とされ、並びに挿入端子（２５）がフレーム内部に封じられており、閉合蓋（３０）が自然には絶縁本体（２０）の上壁部分となることはなく、ゆえに閉合蓋（３０）を起こすか或いは閉合する枢支点は、挿入端子（２５）後部の上ピン（２６）及び下ピン（２７）の中間となり、絶縁本体（２０）のフレーム構造上に設置することはできず、閉合蓋（３０）設置の空間が制限され、閉合蓋（３０）を開閉する力のモーメントもまた制限され、短ければ操作にそれだけ力がかかる。且つ閉合操作の方向が、絶縁本体（２０）の後面方向に向けて閉合するものとされ、全体として、周知のフレキシブル基板コネクタ（１０）の操作性はよくなく、不便である。
【０００４】
さらに、一般に周知のフレキシブル基板コネクタ（１０）の構造は、電磁波干渉防止の機能がなく、ゆえに電磁波遮蔽装置を増設してフレキシブル基板コネクタの機能を高める必要がある。
【発明の開示】
【発明が解決しようとする課題】
【０００５】
上記従来の技術の問題を鑑み、本発明はフレキシブル基板コネクタの全体構造に改良を行ない、フレキシブル基板コネクタの操作性を更に便利としたものである。
本発明の主要な目的は、一種の開放空間を具えた全平面フレキシブル基板コネクタを提供することにあり、それはフレキシブル基板コネクタの上壁が、後ろ向きに開放でき前向きに閉合できる可動上蓋で構成されたものとする。特に、フレキシブル基板の挿入の方式が、可動上蓋を後ろ向きに起こして端子前部の上ピンと下ピンを開放空間中に露出させるために、前方からフレキシブル基板挿入作業を行なえて非常に便利であり、また正確な位置に挿入して端子と確実に電気的接続を形成でき、さらに可動上蓋を前向きに閉じ合わせた後に、フレキシブル基板をしっかりと全平面フレキシブル基板コネクタ内部に固定でき、脱落現象を発生せず、ゆえに操作性が非常に良好であるものとする。
【０００６】
本発明の次の目的は開放空間を具えた全平面フレキシブル基板コネクタを提供することにあり、それは可動上蓋の開閉の枢支点が全平面フレキシブル基板コネクタの後背部に設けられるが、挿入端子後半部の上ピンと下ピンの中間には設置されず、これにより可動上蓋を開閉する力のモーメントが最長距離を形成し、操作上、楽であり、且つ該可動上蓋の板面が電磁波干渉防止の金属遮蔽板で被覆され、全平面フレキシブル基板コネクタの使用機能が向上されたものとする。
【０００７】
本発明のまた別の目的は、一種の解放空間を具えた全平面フレキシブル基板コネクタを提供することにあり、それは、可動上蓋の板面に端子溝が開設され、且つ板面後面部に下向きに傾斜する構造が設けられ、これにより端子溝の溝口末端に断面が楕円形を呈する凸軸が形成され、該凸軸と特殊形状の端子が組み合わされて一組の凸軸機構が形成され、可動上蓋の閉合後に、該凸軸の楕円輪郭が移動変化し、各挿入端子の上ピン前部に下向きの圧接力を形成させ、フレキシブル基板をしっかりと全平面フレキシブル基板コネクタ内部に固定できるものとする。
【課題を解決するための手段】
【０００８】
請求項１の発明は、全平面フレキシブル基板コネクタにおいて、凹形本体（５０）、開閉自在な可動上蓋（６０）、該凹形本体（５０）に挿入される複数の挿入端子（７０）、及び該凹形本体（５０）の左右両側に結合される一対の固定板（８０）で組成され、
該凹形本体（５０）は開放空間を形成する開口溝（５１）を具え、該開口溝（５１）の溝面の左右両側にそれぞれ上向きに突出するサイドリブ（５２）が設けられ、該溝面上に複数の溝（５３）が形成され、各溝（５３）の内部に挿入端子（７０）と係合する嵌置リブ（５４）が形成され、並びに該凹形本体（５０）の左右両側の側壁上面に挿入溝（５５）が開設され、
該挿入端子（７０）は上ピン（７１）と下ピン（７２）、板片（７８）、及び嵌合ピン（７３）で構成され、該嵌合ピン（７３）は下ピン（７２）の後部末端に連設され、嵌合ピン（７３）と下ピン（７２）が共同で係止溝（７７）を形成し、該上ピン（７１）と該下ピン（７２）の間が該板片（７８）で連結され、該上ピン（７１）の前部と該下ピン（７２）の前部が共同で挿嵌溝（７５）を形成し、挿入端子（７０）がその係止溝（７７）により凹形本体（５０）の嵌置リブ（５４）と係合して該凹形本体（５０）の溝（５３）内に嵌合係止され、並びに挿入端子（７０）の挿嵌溝（７５）の位置が該凹形本体（５０）のサイドリブ（５２）の側面開放空間内にあって露出し、
該可動上蓋（６０）は板体（６１）を具え、閉合後に該板体（６１）が該凹形本体（５０）のサイドリブ（５２）の上面に当接し、該板体（６１）の後端部の左右両側に突出する枢軸（６３）が設けられ、並びに該板体（６１）の板面上に、該凹形本体（５０）の溝（５３）内に挿入された挿入端子（７０）に対応する複数の端子溝（６４）が開設され、  該一対の固定板（８０）はその板面（８１）の側辺に上向きに突出するピン（８２）を具え、該側辺の端部に、別にハブ（８３）が凸設され、該一対の固定板（８０）のそれぞれのピン（８２）が該凹形本体（５０）の左右側壁の挿入溝（５５）内に結合されて、該可動上蓋（６０）の枢軸（６３）が該一対の固定板（８０）のハブ（８３）に枢支され、これにより該可動上蓋（６０）の開閉の支点が形成されていることを特徴とする、全平面フレキシブル基板コネクタとしている。
請求項２の発明は、請求項１記載の全平面フレキシブル基板コネクタにおいて、可動上蓋（６０）の板体（６１）上面が電磁波干渉防止の金属遮蔽板（９０）で被覆されたことを特徴とする、全平面フレキシブル基板コネクタとしている。
請求項３の発明は、請求項１記載の全平面フレキシブル基板コネクタにおいて、可動上蓋（６０）の後面端部が下向きに傾斜し、該可動上蓋（６０）の各端子溝（６４）の溝口末端に凸軸（６５）が形成されていることを特徴とする、全平面フレキシブル基板コネクタとしている。
【発明の効果】
【０００９】
本発明は、一種の開放空間を具えた全平面フレキシブル基板コネクタを提供し、それは、フレキシブル基板コネクタの上壁が、後ろ向きに開放でき前向きに閉合できる可動上蓋で構成されたものとする。特に、フレキシブル基板の挿入の方式が、可動上蓋を後ろ向きに起こして端子前部の上ピンと下ピンを開放空間中に露出させるために、前方からフレキシブル基板挿入作業を行なえて非常に便利であり、また正確な位置に挿入して端子と確実に電気的接続を形成でき、さらに可動上蓋を前向きに閉じ合わせた後に、フレキシブル基板をしっかりと全平面フレキシブル基板コネクタ内部に固定でき、脱落現象を発生せず、ゆえに操作性が非常に良好である。
【００１０】
本発明はまた、一種の開放空間を具えた全平面フレキシブル基板コネクタを提供し、それは、可動上蓋の開閉の枢支点が全平面フレキシブル基板コネクタの後背部に設けられるが、挿入端子後半部の上ピンと下ピンの中間には設置されず、これにより可動上蓋を開閉する力のモーメントが最長距離を形成し、操作上、楽であり、且つ該可動上蓋の板面が電磁波干渉防止の金属遮蔽板で被覆され、全平面フレキシブル基板コネクタの使用機能が向上されている。
【００１１】
本発明はまた、一種の解放空間を具えた全平面フレキシブル基板コネクタを提供し、それは、可動上蓋の板面に端子溝が開設され、且つ板面後面部に下向きに傾斜する構造が設けられ、これにより端子溝の溝口末端に断面が楕円形を呈する凸軸が形成され、該凸軸と特殊形状の端子が組み合わされて一組の凸軸機構が形成され、可動上蓋の閉合後に、該凸軸の楕円輪郭が移動変化し、各挿入端子の上ピン前部に下向きの圧接力を形成させ、フレキシブル基板をしっかりと全平面フレキシブル基板コネクタ内部に固定できる。
【発明を実施するための最良の形態】
【００１２】
図３から図６に示されるように、本発明の全平面フレキシブル基板コネクタ（４０）は、解放空間を形成する開口溝（５１）を具えた凹形本体（５０）、開閉自在で該凹形本体（５０）の開放空間を露出させるか或いは閉合して該凹形本体（５０）の上蓋を構成する可動上蓋（６０）、及び該凹形本体（５０）に挿入される複数の挿入端子（７０）、及び該凹形本体（５０）の左右両側に結合される一対の固定板（８０）、可動上蓋（６０）の板体（６１）を被覆する金属遮蔽板（９０）が組み合わされてなる。
【００１３】
ただし、図９の本発明の全平面フレキシブル基板コネクタ（４０）のもう一つの実施例は、凹形本体（５０）、可動上蓋（６０）、複数の挿入端子（７０）、及び一対の固定板（８０）が組み合わされてなり、言い換えると、本発明の電磁波干渉防止のための金属遮蔽板（９０）は使用者が必要に応じて使用するものとされる。
【００１４】
該凹形本体（５０）の開放空間を形成する開口溝（５１）は、溝面の左右両側の左右両側の側壁に隣接する部分に、それぞれ上向きに突出するサイドリブ（５２）が設けられ、これにより開口溝（５１）の開放空間が二層式の開放空間とされ、上層の開放空間が下層の開放空間より広く、即ち、この一対のサイドリブ（５２）の上面上方の開放空間が、開口溝（５１）の上層開放空間を形成している。この一対のサイドリブ（５２）の側面で囲まれてなる開放空間が該開口溝（５１）の下層開放空間を構成している。図７及び図９に示されるように、該開口溝（５１）の上層開放空間は、可動上蓋（６０）の閉合の空間を提供し、ゆえに、可動上蓋（６０）は閉合後、該凹形本体（５０）の上蓋を構成する。該開口溝（５１）の下層開放空間は、図６に示されるように、フレキシブル基板（１５）が挿入される空間を提供し、これによりフレキシブル基板（１５）が挿入端子（７０）が電気的接続を構成できる。
【００１５】
さらに、該凹形本体（５０）の開口溝（５１）の溝面上に、複数の溝（５３）が形成され、各溝（５３）の内部に断面が図５に示されるようである嵌置リブ（５４）が形成されて、挿入端子（７０）との係合に供され、並びにこれにより挿入端子（７０）が該溝（５３）内に嵌め置かれ、即ち、図５に示されるように、該嵌置リブ（５４）の上面に局部深さ凹んだ切欠き（５４３）が設けられ、その前端部と後端部にそれぞれ前向きに突伸する舌状ブロックが設けられ、嵌置リブ（５４）の後ろ雄形係止部（５４１）と前雄型係止部（５４２）とされ、この構造により凹形本体（５０）が多用途使用機能を具備するものとされる。例えば、図５から図７に示されるように、本発明の凹形本体（５０）の嵌置リブ（５４）の後ろ雄形係止部（５４１）が一組の挿入端子（７０）の係止に供され、該挿入端子（７０）が凹形本体（５０）の溝（５３）内に挿入されるか、或いは、図１０に示されるように、本発明の凹形本体（５０）の嵌置リブ（５４）の前雄形係止部（５４２）により別の一組の異なる形式の挿入端子（７０）が交互に挿入される方式で接続され、共同で凹形本体（５０）の溝（５３）内に挿入設置される。これにより上述の使用状況により、凹形本体（５０）がただ一組の挿入端子（７０）の溝（５３）内への挿入に供される時、該凹形本体（５０）の嵌置リブ（５４）構造は僅かに後ろ雄形係止部（５４１）のみが設けられ、前雄形係止部（５４２）は設けられず、異なる構造の凹形本体（５０）の実施例を構成する。
【００１６】
また、凹形本体（５０）の左右両側の側壁上面に、挿入溝（５５）が開設されて一対の固定板（８０）を凹形本体（５０）の左右両側に結合させるのに供される。
該固定板（８０）の構造は、図４に示されるように、相互に左右対称とされ、いずれも平面を呈する板面（８１）を具え、板面（８１）の側辺中段に上向きに突出するピン（８２）が設けられ、別の該側辺の端部に上向きに突出し円弧切欠きを具えたハブ（８３）が形成され、この側辺と反対の側辺に、板面（８１）内側に向けて凹んだ溝が形成されて螺子止め溝（８４）とされている。該一対の固定板（８０）はそのピン（８２）を利用し、凹形本体（５０）の底面より、凹形本体（５０）の左右側壁の挿入溝（５５）内に挿入され、凹形本体（５０）の左右両側と結合され、且つ各固定板（８０）のハブ（８３）は凹形本体（５０）の左右側壁の背面に露出し、その円弧切欠きと凹形本体（５０）の左右側壁の後壁端面が共同で図４及び図５に示されるサポートフレーム機能を具えたサポートフレーム構造を形成し、可動上蓋（６０）の枢軸（６３）が該サポートフレーム構造内に枢設される。
【００１７】
該固定板（８０）の板面（８１）に開設された螺子止め溝（８４）は、ボルトを通過させて本発明の全平面フレキシブル基板コネクタ（４０）を基板上に螺子止めするのに供される。
【００１８】
図４、５、及び図７に示されるように、本発明の挿入端子（７０）の構造は、上ピン（７１）、下ピン（７２）及び嵌合ピン（７３）で構成され、相互の間に挿嵌溝（７５）、枢設溝（７６）及び係止溝（７７）が形成されている。そのうち、嵌合ピン（７３）は下ピン（７２）の後部末端に連設され、その前部と該下ピン（７２）の後部の距離を利用して、共同で係止溝（７７）を形成し、挿入端子（７０）がこの係止溝（７７）により前述の凹形本体（５０）の嵌置リブ（５４）の後ろ雄形係止部（５４１）と係合し、これにより凹形本体（５０）の溝（５３）に強固に嵌め止めされる。
【００１９】
該上ピン（７１）と下ピン（７２）の間は板片（７８）で連接され、その前部と下ピン（７２）の前部との距離により共同で挿嵌溝（７５）が形成され、挿入端子（７０）が凹形本体（５０）の溝（５３）内に嵌め止めされる時、挿入端子（７０）の挿嵌溝（７５）の位置が、図６から図８に示されるように、ちょうど凹形本体（５０）の開口溝（５１）の下層開放空間内に位置し、挿入端子（７０）の上ピン（７１）が凹形本体（５０）の開口溝（５１）の上層開放空間内に位置し、これにより、図６に示されるように、挿入端子（７０）の挿嵌溝（７５）がフレキシブル基板（１５）の挿入に供され、これによりフレキシブル基板（１５）と上ピン（７１）、下ピン（７２）が電気的接続を形成する。且つ図７、８に示されるように、該下ピン（７２）の前部が凹形本体（５０）の嵌置リブ（５４）の上面の切欠き（５４３）の上方に位置し、下ピン（７２）の前部が突出する梁のような構造を形成し、許容範囲の撓み性によるひずみを有し、ゆえにフレキシブル基板（１５）を挿入端子（７０）の挿嵌溝（７５）内に挿入するのに便利である。
【００２０】
上ピン（７１）の後部と下ピン（７２）の後部の間の距離が共同で枢設溝（７６）を形成し、上ピン（７１）の後部末端は下向き折り曲げられて折り曲げ部（７４）が形成されているため、枢設溝（７６）の溝口が狭められ、係止作用を発揮する。
【００２１】
該可動上蓋（６０）は板体（６１）を具え、該板体（６１）の後端部の左右両側部分に枢軸（６３）が凸設され、該枢軸（６３）が二重の機能を有する。即ち図５から図１０に示されるように、可動上蓋（６０）がその枢軸（６３）を利用し、一対の固定板（８０）のハブ（８３）の円弧切欠きに枢設されて可動上蓋（６０）の開閉動作の支点を形成し、また、図３及び図４に示されるように、金属遮蔽板（９０）の係止溝（９６）がその上に係合される。
【００２２】
図４及び図８に示されるように、可動上蓋（６０）の板体（６１）の前端部の左右両側に外向き及び下向きにストッパ（６２）が延伸され、可動上蓋（６０）を開閉する施力点とされ、使用者が可動上蓋（６０）に簡単に施力して開閉することができ便利であり、特に、本発明は可動上蓋（６０）の施力支点を、枢軸（６３）で全平面フレキシブル基板コネクタ（４０）の凹形本体（５０）の後方に枢接し、施力点としたストッパ（６２）と最長距離の施力モーメントを構成するため、本発明の発明の目的を達成でき、可動上蓋（６０）を簡単に後方に向けて起こし、前方に向けて閉じ合わせることができる。このほか、可動上蓋（６０）のストッパ（６２）の側面に高さを有するようにピン（６６）が凸設され、金属遮蔽板（９０）の嵌止溝（９４）の係止、位置決めに供される。
【００２３】
図５に示されるように、該可動上蓋（６０）の板体（６１）の後面端部に下向きに傾斜する構造が設けられ、下向きの傾斜角度の目的及び作用は、図８に示されるように、該可動上蓋（６０）の引き起しの最大角度を制限し、並びに凹形本体（５０）の開口溝（５１）を完全に露出させられるようにし、フレキシブル基板（１５）の挿入端子（７０）の挿嵌溝（７５）内への挿入に便利とすることにある。
【００２４】
該可動上蓋（６０）の板体（６１）の板面の、凹形本体（５０）の溝（５３）に対応する位置に、複数の端子溝（６４）が開設され、各端子溝（６４）の溝口末端に板体（６１）の後面端部の傾斜構造を利用し、断面が楕円形の凸軸（６５）が形成されている。これにより、該凸軸（６５）の楕円輪郭の細い部分を利用し、可動上蓋（６０）の凸軸（６５）が挿入端子（７０）の枢設溝（７６）内部に圧入され、可動上蓋（６０）の枢軸（６３）と一対の固定板（８０）のハブ（８３）の枢接完成後に、可動上蓋（６０）の該凸軸（６５）が挿入端子（７０）の枢設溝（７６）内部より離脱しないものとされる。
【００２５】
図７及び図８に示されるように、可動上蓋（６０）がその枢軸（６３）を支点として回転する時、その凸軸（６５）が挿入端子（７０）の上ピン（７１）と一組の凸軸機構を構成し、特に、可動上蓋（６０）が閉合動作を行なう時、凸軸（６５）の発生する楕円輪郭の移動変化が、挿入端子（７０）の上ピン（７１）の折り曲げ部（７４）に対して押圧作用を形成し、これにより挿入端子（７０）の上ピン（７１）が板片（７８）を支点としててこ作用を発生し、上ピン（７１）の前部がこれにより下向きに圧接する趨勢を有する。
【００２６】
該可動上蓋（６０）の板体（６１）の幅は、上述の凹形本体（５０）の開口溝（５１）の上層開放空間より狭いが、その下層開放空間より広く、挿入端子（７０）の上ピン（７１）は凹形本体（５０）の開口溝（５１）の上層開放空間内に位置し、これにより、図８及び図９に示されるように、可動上蓋（６０）が閉合後、該開口溝（５１）のサイドリブ（５２）の上面に当接し、凹形本体（５０）の開口溝（５１）の上層開放空間が閉じられ、凹形本体（５０）の上蓋が構成される。このとき、挿入端子（７０）の上ピン（７１）は可動上蓋（６０）の端子溝（６４）内に露出し、これにより全平面フレキシブル基板コネクタ（４０）の厚さが大幅に減少する。
【００２７】
図３及び図４に示されるように、電磁波干渉防止用の金属遮蔽板（９０）は、蓋板（９１）を具え、その形状は可動上蓋（６０）の板体（６１）に対応し、ゆえに蓋板（９１）の後端部に内向きに切欠き（９２）が形成され、図１１に示されるように、該可動上蓋（６０）の板体（６１）の板面上を被覆する時、特に可動上蓋（６０）が後ろ向きに引き起こされる時、該金属遮蔽板（９０）が該切欠き（９２）を利用して挿入端子（７０）の上ピン（７１）後部に衝突するのを防止できる。
【００２８】
また金属遮蔽板（９０）の後端部左右両側部分に、下向きに折り曲げられた後翼板（９５）が設けられ、該後翼板（９５）の板面下方に溝口が下向きの係止溝（９６）が開設されて、可動上蓋（６０）の枢軸（６３）の軸径に嵌合するものとされ、該後翼板（９５）の板面下方の該係止溝（９６）に接近する位置に、別に凸点（９７）が凸設され、その作用は図１１に示されるように、該凸点（９７）の僅かな突出高度を利用し、金属遮蔽板（９０）の後翼板（９５）板面と一対の固定板（８０）のハブ（８３）の間に僅かな間隙を存在させ、可動上蓋（６０）の後ろ向きの引き起し或いは前向きの閉合の滑らかな操作に影響を与えないようにすることにある。さらに、金属遮蔽板（９０）の蓋板（９１）の前端部の左右両側に下向きに折り曲げられた前翼板（９３）が設けられ、該前翼板（９３）の板面前方に溝口が前向きの嵌止溝（９４）が設けられ、可動上蓋（６０）のストッパ（６２）の側面のピン（６６）との係合に供される。
【００２９】
可動上蓋（６０）の板体（６１）の板面上を被覆するように該金属遮蔽板（９０）を固定する方式は、金属遮蔽板（９０）の嵌止溝（９４）を先に可動上蓋（６０）のピン（６６）に係合させ、その後、さらに金属遮蔽板（９０）の係止溝（９６）を可動上蓋（６０）の枢軸（６３）に係合させれば、電磁波干渉防止機能を具えた全平面フレキシブル基板コネクタ（４０）が形成される。
【００３０】
図６から図９に示されるように、フレキシブル基板（１５）を挿入する時は、まず全平面フレキシブル基板コネクタ（４０）の可動上蓋（６０）を後ろ向きに最大角度まで引き起し、凹形本体（５０）の開口溝（５１）を完全に露出させ、フレキシブル基板（１５）の挿入作業に便利とする。このとき、挿入端子（７０）の上ピン（７１）は可動上蓋（６０）の凸軸（６５）の作用より離脱するため、上ピン（７１）の前部に下向きの圧接の趨勢がなくなり、このため、フレキシブル基板（１５）を凹形本体（５０）の開口溝（５１）の左右両側のサイドリブ（５２）に沿って、簡単に挿入端子（７０）の挿嵌溝（７５）内に挿入でき、並びに挿入端子（７０）と電気的接続を形成させることができる。続いて、可動上蓋（６０）を前向きに凹形本体（５０）の開口溝（５１）内に閉合する。このとき、挿入端子（７０）の上ピン（７１）の折り曲げ部（７４）が可動上蓋（６０）の凸軸（６５）の作用を受けるため、上ピン（７１）の前部が下向きにフレキシブル基板（１５）を制圧する作用を発生し、これによりフレキシブル基板（１５）が確実に挿入端子（７０）と電気的接続を構成することができ、使用時に、本発明の全平面フレキシブル基板コネクタ（４０）より離脱することがない。
【図面の簡単な説明】
【００３１】
【図１】周知のフレキシブル基板コネクタの断面構造図である。
【図２】周知のフレキシブル基板コネクタの使用状態表示図である。
【図３】本発明の全平面フレキシブル基板コネクタの外観図であり、電磁波干渉防止用の金属遮蔽板（９０）を具えている。
【図４】本発明の全平面フレキシブル基板コネクタの分解図である。
【図５】本発明の全平面フレキシブル基板コネクタの分解図である。
【図６】本発明の全平面フレキシブル基板コネクタの可動上蓋（６０）が引き起こされた後にフレキシブル基板（１５）挿入に供される状態表示図である。
【図７】本発明の全平面フレキシブル基板コネクタの可動上蓋（６０）の閉合時の断面図である。
【図８】本発明の全平面フレキシブル基板コネクタの可動上蓋（６０）が最大角度に引き起こされた時の断面図である。
【図９】本発明の全平面フレキシブル基板コネクタにフレキシブル基板（１５）が挿入された後に可動上蓋（６０）が閉合されフレキシブル基板（１５）がしっかりと固定された状態表示図である。
【図１０】本発明の凹形本体（５０）に二組の異なる形式の挿入端子が共同で交互に溝（５３）内に挿入された状態表示図である。
【図１１】本発明の全平面フレキシブル基板コネクタの可動上蓋（６０）が引き起こされた時の異なる視角の表示図である。
【符号の説明】
【００３２】
（１５）フレキシブル基板
（４０）全平面フレキシブル基板コネクタ
（５０）凹形本体
（５１）開口溝
（５２）サイドリブ
（５３）溝
（５４）嵌置リブ
（５４３）切欠き
（５４１）雄形係止部
（５４２）雄型係止部
（５５）挿入溝
（６０）可動上蓋
（６１）板体
（６２）ストッパ
（６３）枢軸
（６４）端子溝
（６５）凸軸
（６６）ピン
（７０）挿入端子
（７１）上ピン
（７２）下ピン
（７３）嵌合ピン
（７５）挿嵌溝
（７６）枢設溝
（７７）係止溝
（７８）板片
（８０）固定板
（８１）板面
（８２）ピン
（８３）ハブ
（８４）螺子止め溝
（９０）金属遮蔽板
（９１）蓋板
（９２）切欠き
（９３）前翼板
（９５）後翼板
（９６）係止溝
（９７）凸点
【図１】
2004349239.tif 000003
【図２】
2004349239.tif 000004
【図３】
2004349239.tif 000005
【図４】
2004349239.tif 000006
【図５】
2004349239.tif 000007
【図６】
2004349239.tif 000008
【図７】
2004349239.tif 000009
【図８】
2004349239.tif 000010
【図９】
2004349239.tif 000011
【図１０】
2004349239.tif 000012
【図１１】
2004349239.tif 000013